(57)【要約】【課題】接点信号送信装置で発生した接点信号を短時間で確実に遠隔地の接点信号受信装置に伝送する。【解決手段】ネットワーク３００は、無線により常時接続可能な基地局４００を有する。接点信号送信装置１００Ａは、有線または無線でネットワーク３００に常時接続されており、ネットワーク３００を経由して接点信号を接点信号受信装置２００Ａに送信する。接点信号受信装置２００Ａは、無線により基地局４００を介してネットワーク３００に常時接続されており、接点信号送信装置１００Ａが送信元である接点信号を受信する。【選択図】図１
2013232867.tif 000002
【特許請求の範囲】
【請求項１】
無線により常時接続可能な基地局を有するネットワークを経由して接点信号を伝送する接点信号伝送システムであって、
前記ネットワークに常時接続されており、接点信号を送信する接点信号送信装置と、
無線により前記基地局を介して前記ネットワークに常時接続されており、前記接点信号送信装置が送信元である接点信号を受信する接点信号受信装置と、
を備えることを特徴とする接点信号伝送システム。
【請求項２】
前記接点信号受信装置が、前記接点信号送信装置から送信される接点信号を受信することを特徴とする請求項１に記載の接点信号伝送システム。
【請求項３】
前記接点信号送信装置が、
所定の異常が発生したことを検出する異常検出部と、
前記異常の発生を通知する接点信号受信装置を決定する受信装置決定部と、
前記異常検出部による異常の検出に応答して、前記受信装置決定部によって決定された接点信号受信装置に、前記異常検出部によって異常が検出されたことを示す接点信号を送信する接点信号送信部と、
を備え、
前記接点信号受信装置が、
前記接点信号送信装置の接点信号送信部によって送信された接点信号を受信する接点信号受信部と、
前記接点信号受信部による接点信号の受信に応答して、警報を発する警報部を備える、
ことを特徴とする請求項２に記載の接点信号伝送システム。
【請求項４】
前記接点信号受信装置が、
現在の位置を示す位置情報を取得する位置情報取得部と、
前記位置情報取得部によって取得された位置情報を前記接点信号送信装置に送信する位置情報送信部と、
を備え、
前記接点信号送信装置が、前記接点信号受信装置によって送信された位置情報を受信する位置情報受信部を備え、
前記接点信号送信装置の受信装置決定部が、前記位置情報受信部によって受信された位置情報と前記異常検出部によって検出された異常の程度とに基づいて、前記異常の発生を通知する接点信号受信装置を決定し、
前記接点信号送信装置の接点信号送信部が前記異常検出部によって検出された異常の程度を示す接点信号を送信し、
前記接点信号受信装置の警報部が、前記異常の程度に応じた警報を発する、
ことを特徴とする請求項３に記載の接点信号伝送システム。
【請求項５】
前記ネットワークに常時接続されており、前記接点信号送信装置によって送信される接点信号を受信し、受信した当該接点信号を前記接点信号受信装置に送信するサーバを備え、
前記接点信号送信装置が、無線により前記基地局を介して前記ネットワークに接続されており、
前記接点信号受信装置が、前記サーバによって送信される接点信号を受信する、
ことを特徴とする請求項１に記載の接点信号伝送システム。
【請求項６】
前記接点信号送信装置が、
所定の異常が発生したことを検出する異常検出部と、
前記異常検出部による異常の検出に応答して、前記サーバに、前記異常検出部によって異常が検出されたことを示す接点信号を送信する接点信号送信部と、
を備え、
前記サーバが、
前記接点信号送信装置の接点信号送信部によって送信される接点信号を受信する接点信号受信部と、
前記接点信号受信部によって接点信号が受信されたことに応答して、前記異常の発生を通知する接点信号受信装置を決定する受信装置決定部と、
前記受信装置決定部によって決定された接点信号受信装置に前記接点信号受信部によって受信された接点信号を送信する接点信号中継部と、
を備え、
前記接点信号受信装置が、
前記サーバの接点信号中継部によって送信された接点信号を受信する中継信号受信部と、
前記中継信号受信部による接点信号の受信に応答して、警報を発する警報部を備える、
ことを特徴とする請求項５に記載の接点信号伝送システム。
【請求項７】
前記接点信号送信装置が、
現在の位置を示す第１の位置情報を取得する第１の位置情報取得部と、
前記第１の位置情報取得部によって取得された第１の位置情報を前記サーバに送信する第１の位置情報送信部と、
を備え、
前記接点信号受信装置が、
現在の位置を示す第２の位置情報を取得する第２の位置情報取得部と、
前記第２の位置情報取得部によって取得された第２の位置情報を前記サーバに送信する第２の位置情報送信部と、
を備え、
前記接点信号送信装置の接点信号送信部が前記異常検出部によって検出された異常の程度を示す接点信号を送信し、
前記サーバが、前記接点信号送信装置の第１の位置情報送信部によって送信された第１の位置情報と、前記接点信号受信装置の第２の位置情報送信部によって送信された第２の位置情報とを受信する位置情報受信部を備え、
前記サーバの受信装置決定部が、前記位置情報受信部によって受信された第１の位置情報と第２の位置情報および前記接点信号送信装置の異常検出部によって検出された異常の程度とに基づいて、前記異常の発生を通知する接点信号受信装置を決定し、
前記接点信号受信装置の警報部が、前記異常の程度に応じた警報を発する、
ことを特徴とする請求項６に記載の接点信号伝送システム。
【請求項８】
前記無線が、ＷｉＭＡＸまたはＭｏｂｉｌｅ  ＷｉＭＡＸに準拠することを特徴とする請求項１ないし７のいずれか１項に記載の接点信号伝送システム。
【発明の詳細な説明】
【技術分野】
【０００１】
本発明は、接点信号を伝送する接点信号伝送システムに関する。
【背景技術】
【０００２】
特定小電力無線を使用して接点信号を伝送する接点信号伝送システムが知られている（例えば、非特許文献１参照）。この接点信号伝送システムは、屋外で約４００ｍ、屋内で約１００ｍの見通し距離で接点信号を伝送することができる。接点信号伝送システムを用いることにより、各種の設備や機械の状態を遠隔監視することができる。
【０００３】
また、気象庁は、高度利用者向けの緊急地震速報（予報）を発表する（例えば、非特許文献２参照）。高度利用者向けの緊急地震速報（予報）は、気象庁の多機能型地震計設置のいずれかの観測点において、Ｐ波またはＳ波の振幅が１００ガル以上となった場合、または地震計で観測された地震波を解析した結果、震源・マグニチュード・各地の予測震度が求まり、そのマグニチュードが３．５以上、または最大予測震度が３以上である場合に発表される。高度利用者向けの緊急地震速報（予報）は、気象庁長官の許可を受けた地震予報業務許可事業者によって製造される受信端末で受信することができる。受信端末により、任意の地点での予想した震度や主要動到達時刻を入手することができる。
【先行技術文献】
【非特許文献】
【０００４】
【非特許文献１】” 無線接点伝送器  MD1000  飛飛丸（ぴゅんぴゅんまる）”、株式会社チノー、［平成２４年３月２９日検索］、インターネット＜ＵＲＬ：http://www.chino.co.jp/products/loggers/md1000.html＞
【非特許文献２】”緊急地震速報について”、気象庁、［平成２４年３月２９日検索］、インターネット＜ＵＲＬ：http://www.seisvol.kishou.go.jp/eq/EEW/kaisetsu/index.html＞
【発明の概要】
【発明が解決しようとする課題】
【０００５】
例えば、建築会社に設置された受信端末で高度利用者向けの緊急地震速報（予報）を受信し、その受信端末が接続された接点信号送信装置により遠隔地の建築現場の接点信号受信装置に地震速報を送信して建築現場で地震警報を発することができれば、建築現場の安全性を向上させることができる。
しかし、非特許文献１に記載の接点信号伝送システムは、高々数１００ｍの距離しか接点信号を伝送することができない。
【０００６】
第３世代携帯電話のデータ通信やＬＴＥ（Ｌｏｎｇ  Ｔｅｒｍ  Ｅｖｏｌｕｔｉｏｎ）等を用いて接点信号を伝送することも考えられるが、これらは通信していない状態から通信可能となるまで数十秒要する場合がある。
このため、地震速報のように、伝送すべきデータ量は少ないが、発生した接点信号を短時間で確実に伝送しなければならない用途には適さない。
【０００７】
本発明の目的は、発生した接点信号を短時間で確実に遠隔地に伝送することができる接点信号伝送システムを提供することである。
【課題を解決するための手段】
【０００８】
上述した課題を解決するために、本発明の接点信号伝送システムは、
無線により常時接続可能な基地局を有するネットワークを経由して接点信号を伝送する接点信号伝送システムであって、
前記ネットワークに常時接続されており、接点信号を送信する接点信号送信装置と、
無線により前記基地局を介して前記ネットワークに常時接続されており、前記接点信号送信装置が送信元である接点信号を受信する接点信号受信装置と、
を備えることを特徴とする。
【０００９】
好ましくは、本発明の接点信号伝送システムは、
前記接点信号受信装置が、前記接点信号送信装置から送信される接点信号を受信することを特徴とする。
【００１０】
好ましくは、本発明の接点信号伝送システムは、
前記接点信号送信装置が、
所定の異常が発生したことを検出する異常検出部と、
前記異常の発生を通知する接点信号受信装置を決定する受信装置決定部と、
前記異常検出部による異常の検出に応答して、前記受信装置決定部によって決定された接点信号受信装置に、前記異常検出部によって異常が検出されたことを示す接点信号を送信する接点信号送信部と、
を備え、
前記接点信号受信装置が、
前記接点信号送信装置の接点信号送信部によって送信された接点信号を受信する接点信号受信部と、
前記接点信号受信部による接点信号の受信に応答して、警報を発する警報部を備える、
ことを特徴とする。
【００１１】
好ましくは、本発明の接点信号伝送システムは、
前記接点信号受信装置が、
現在の位置を示す位置情報を取得する位置情報取得部と、
前記位置情報取得部によって取得された位置情報を前記接点信号送信装置に送信する位置情報送信部と、
を備え、
前記接点信号送信装置が、前記接点信号受信装置によって送信された位置情報を受信する位置情報受信部を備え、
前記接点信号送信装置の受信装置決定部が、前記位置情報受信部によって受信された位置情報と前記異常検出部によって検出された異常の程度とに基づいて、前記異常の発生を通知する接点信号受信装置を決定し、
前記接点信号送信装置の接点信号送信部が前記異常検出部によって検出された異常の程度を示す接点信号を送信し、
前記接点信号受信装置の警報部が、前記異常の程度に応じた警報を発する、
ことを特徴とする。
【００１２】
好ましくは、本発明の接点信号伝送システムは、
前記ネットワークに常時接続されており、前記接点信号送信装置によって送信される接点信号を受信し、受信した当該接点信号を前記接点信号受信装置に送信するサーバを備え、
前記接点信号送信装置が、無線により前記基地局を介して前記ネットワークに接続されており、
前記接点信号受信装置が、前記サーバによって送信される接点信号を受信する、
ことを特徴とする。
【００１３】
好ましくは、本発明の接点信号伝送システムは、
前記接点信号送信装置が、
所定の異常が発生したことを検出する異常検出部と、
前記異常検出部による異常の検出に応答して、前記サーバに、前記異常検出部によって異常が検出されたことを示す接点信号を送信する接点信号送信部と、
を備え、
前記サーバが、
前記接点信号送信装置の接点信号送信部によって送信される接点信号を受信する接点信号受信部と、
前記接点信号受信部によって接点信号が受信されたことに応答して、前記異常の発生を通知する接点信号受信装置を決定する受信装置決定部と、
前記受信装置決定部によって決定された接点信号受信装置に前記接点信号受信部によって受信された接点信号を送信する接点信号中継部と、
を備え、
前記接点信号受信装置が、
前記サーバの接点信号中継部によって送信された接点信号を受信する中継信号受信部と、
前記中継信号受信部による接点信号の受信に応答して、警報を発する警報部を備える、
ことを特徴とする。
【００１４】
好ましくは、本発明の接点信号伝送システムは、
前記接点信号送信装置が、
現在の位置を示す第１の位置情報を取得する第１の位置情報取得部と、
前記第１の位置情報取得部によって取得された第１の位置情報を前記サーバに送信する第１の位置情報送信部と、
を備え、
前記接点信号受信装置が、
現在の位置を示す第２の位置情報を取得する第２の位置情報取得部と、
前記第２の位置情報取得部によって取得された第２の位置情報を前記サーバに送信する第２の位置情報送信部と、
を備え、
前記接点信号送信装置の接点信号送信部が前記異常検出部によって検出された異常の程度を示す接点信号を送信し、
前記サーバが、前記接点信号送信装置の第１の位置情報送信部によって送信された第１の位置情報と、前記接点信号受信装置の第２の位置情報送信部によって送信された第２の位置情報とを受信する位置情報受信部を備え、
前記サーバの受信装置決定部が、前記位置情報受信部によって受信された第１の位置情報と第２の位置情報および前記接点信号送信装置の異常検出部によって検出された異常の程度とに基づいて、前記異常の発生を通知する接点信号受信装置を決定し、
前記接点信号受信装置の警報部が、前記異常の程度に応じた警報を発する、
ことを特徴とする。
【００１５】
好ましくは、本発明の接点信号伝送システムは、
前記無線が、ＷｉＭＡＸまたはＭｏｂｉｌｅ  ＷｉＭＡＸに準拠することを特徴とする。
【発明の効果】
【００１６】
本発明によれば、発生した接点信号を短時間で確実に遠隔地に伝送することができる。
【図面の簡単な説明】
【００１７】
【図１】本発明の第１の実施形態に係る接点信号伝送システムの構成の一例を示す図である。
【図２】本発明の第１の実施形態に係る接点信号受信装置テーブルの構成の一例を示す図である。
【図３】（Ａ）本発明の第２の実施形態に係る接点信号送信装置の構成の一例を示す図である。（Ｂ）本発明の第２の実施形態に係る接点信号受信装置の構成の一例を示す図である。
【図４】本発明の第２の実施形態に係る接点信号受信装置テーブルの構成の一例を示す図である。
【図５】本発明の第３の実施形態に係る接点信号伝送システムの構成の一例を示す図である。
【図６】本発明の第３の実施形態に係る送信装置・受信装置対応テーブルの構成の一例を示す図である。
【図７】（Ａ）本発明の第４の実施形態に係る接点信号送信装置の一例を示す図である。（Ｂ）本発明の第４の実施形態に係るサーバの構成の一例を示す図である。（Ｃ）本発明の第４の実施形態に係る接点信号受信装置の構成の一例を示す図である。
【図８】本発明の第４の実施形態に係る送信装置・受信装置対応テーブルの構成の一例を示す図である。
【発明を実施するための形態】
【００１８】
以下、本発明の実施形態に係る接点信号伝送システムについて図面を参照しながら詳細に説明する。なお、実施形態を説明する全図において、共通の構成要素には同一の符号を付し、繰り返しの説明を省略する。
【００１９】
図１は、本発明の第１の実施形態に係る接点信号伝送システムの構成の一例を示す。
第１の実施形態の接点信号伝送システムは、接点信号送信装置１００Ａと、接点信号受信装置２００Ａとで構成される。
接点信号受信装置２００Ａは、接点信号送信装置１００Ａからネットワーク３００を経由して送信される接点信号を受信する。
ネットワーク３００は複数の基地局４００を有する。接点信号送信装置１００Ａは有線または無線でネットワーク３００に常時接続されており、接点信号受信装置２００Ａは基地局４００を介して無線でネットワーク３００に常時接続されている。
接点信号受信装置２００Ａと基地局４００との通信に、例えばＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）またはＭｏｂｉｌｅ  ＷｉＭＡＸに準拠する無線を用いることにより、接点信号受信装置２００Ａと基地局４００とを、常時接続で接続することができる。
なお、図１では、ネットワーク３００を１つのネットワークとして示したが、ネットワーク３００は、例えば、ＷｉＭＡＸネットワークまたはＭｏｂｉｌｅ  ＷｉＭＡＸネットワークとインターネットとが接続されたネットワークのように複数のネットワークで構成されたものであってもよい。
【００２０】
接点信号送信装置１００Ａは、地震速報受信端末１１０と、送信サーバ１２０Ａとを有する。
地震速報受信端末１１０は、高度利用者向けの緊急地震速報（予報）を受信する受信端末である。地震速報受信端末１１０は、緊急地震速報（予報）を受信すると、緊急地震速報（予報）を受信したことを送信サーバ１２０Ａに通知する。なお、地震速報受信端末１１０は異常検出部の一例である。
送信サーバ１２０Ａは、ＣＰＵ（Ｃｅｎｔｒａｌ  Ｐｒｏｃｅｓｓｉｎｇ  Ｕｎｉｔ）と、ＲＡＭ（Ｒａｎｄｏｍ  Ａｃｃｅｓｓ  Ｍｅｍｏｒｙ）等で構成されるメモリと、ハードディスク装置等で構成される記憶装置とを有する。ＣＰＵがメモリに格納されている所定のプログラムを実行することにより、受信装置決定部１２１Ａと、接点信号送信部１２２Ａとの各部の機能が実現される。
送信サーバ１２０Ａの記憶装置は、図２に示す接点信号受信装置テーブル１５０Ａを記憶している。接点信号受信装置テーブル１５０Ａには、接点信号送信装置１００Ａが接点信号を送信する各接点信号受信装置２００Ａについて、接点信号受信装置ＩＤ（Ｉｄｅｎｔｉｆｉｅｒ）とＩＰアドレスとが格納されている。
受信装置決定部１２１Ａは、地震の発生を通知する接点信号受信装置を決定する。なお、第１の実施形態に係る受信装置決定部１２１Ａは、接点信号受信装置テーブル１５０Ａに接点信号受信装置ＩＤとＩＰアドレスとが格納されている全ての接点信号受信装置２００Ａに地震の発生を通知すると決定する。
接点信号送信部１２２Ａは、地震速報受信端末１１０から緊急地震速報（予報）を受信したことが通知されると、受信装置決定部１２１Ａによって決定された接点信号受信装置２００Ａに、緊急地震速報（予報）を受信したことを示す接点信号を送信する。
【００２１】
接点信号受信装置２００Ａは、接点信号受信端末２１０Ａと、警報装置２２０とを有する。
接点信号受信端末２１０Ａは、接点信号受信部２１１Ａを有する。接点信号受信部２１１Ａは、接点信号送信装置１００Ａから送信される接点信号を受信する。
警報装置２２０は、接点信号受信部２１１Ａが接点信号を受信したことに応答して、警報を発する。警報装置２２０は、例えば、回転灯とスピーカを備えており、接点信号受信部２１１Ａから接点信号を受信したことを通知されると、回転灯を回転させ、スピーカを鳴動させる。
【００２２】
なお、上述した第１の実施形態では、接点信号送信装置１００Ａは地震速報受信端末１１０を有するとしたが、接点信号送信装置１００Ａは地震速報受信端末１１０の代わりに地震計を有してもよい。また、接点信号送信装置１００Ａは、地震速報受信端末１１０や地震計とともに、またはそれらに代えてその他の異常が発生したことを検出する異常検出装置を有してもよい。
また、第１の実施形態では、接点信号送信装置１００Ａは地震速報受信端末１１０と送信サーバ１２０Ａとを有するとしたが、地震速報受信端末１１０と送信サーバ１２０Ａの各機能を１台のコンピュータで実現してもよい。
さらに、第１の実施形態に係る接点信号伝送システムは、地震速報受信端末１１０が遠隔地に設置されており、送信サーバ１２０Ａが地震速報受信端末１１０からネットワーク３００を経由して地震の発生を通知される構成とすることもできる。
【００２３】
図３は、本発明の第２の実施形態に係る接点信号送信装置１００Ｂと接点信号受信装置２００Ｂとの構成の一例を示す。
接点信号受信装置２００Ｂは、第１の実施形態と同様に、接点信号送信装置１００Ｂからネットワーク３００を経由して送信される接点信号を受信する。
ネットワーク３００が複数の基地局４００を有し、接点信号送信装置１００Ｂは有線または無線でネットワーク３００に常時接続されており、接点信号受信装置２００Ｂは基地局４００を介して無線でネットワーク３００に常時接続されている点は第１の実施形態と同様である。
第２の実施形態は、接点信号受信装置２００Ｂが現在の位置を示す位置情報を取得して接点信号送信装置１００Ｂに送信し、接点信号送信装置１００Ｂが接点信号受信装置２００Ｂの位置等に応じて接点信号を送信する点が第１の実施形態と異なる。例えば、接点信号送信装置１００Ｂは、地震の震源地から近い場所に設置されている接点信号受信装置２００Ｂにのみ接点信号を送信し、地震の震源地から遠い場所に設置されている接点信号受信装置２００Ｂには接点信号を送信しない。
【００２４】
接点信号送信装置１００Ｂは、地震速報受信端末１１０と、送信サーバ１２０Ｂとを有する。
送信サーバ１２０Ｂは、送信サーバ１２０Ａと同様に、ＣＰＵと、ＲＡＭ等で構成されるメモリと、ハードディスク装置等で構成される記憶装置とを有する。ＣＰＵがメモリに格納されている所定のプログラムを実行することにより、位置情報受信部１２３と、受信装置決定部１２１Ｂと、接点信号送信部１２２Ｂとの各機能が実現される。送信サーバ１２０Ｂは、位置情報受信部１２３を有する点が送信サーバ１２０Ａと異なる。また、受信装置決定部１２１Ｂと接点信号送信部１２２Ｂの機能が受信装置決定部１２１Ａと異なる。
送信サーバ１２０Ｂの記憶装置は、図４に示す接点信号受信装置テーブル１５０Ｂを記憶している。接点信号受信装置テーブル１５０Ｂには、接点信号送信装置１００Ｂが接点信号を送信することができる各接点信号受信装置２００Ｂについて、接点信号受信装置ＩＤとＩＰアドレスと位置（緯度、経度）とが格納されている。
位置情報受信部１２３は、接点信号受信装置２００Ｂによって送信される位置情報を受信し、その位置情報を接点信号受信装置テーブル１５０Ｂの位置（緯度、経度）の欄に格納する。
受信装置決定部１２１Ｂは、接点信号受信装置テーブル１５０Ｂに格納されている接点信号受信装置２００Ｂの位置情報と地震速報受信端末１１０から通知された地震の程度に基づいて、地震の発生を通知する接点信号受信装置２００Ｂを決定する。具体的には、地震速報受信端末１１０は、気象庁等から高度利用者向けの緊急地震速報（予報）が発表されると、受信装置決定部１２１Ｂに震源地の位置および地震の大きさ（震度やマグニチュード）を通知する。これに応答して、受信装置決定部１２１Ｂは、接点信号受信装置テーブル１５０Ｂから各接点信号受信装置２００Ｂの位置（緯度、経度）を読み出し、震源地と各接点信号受信装置２００Ｂの距離を求める。そして、受信装置決定部１２１Ｂは、震源地と各各接点信号受信装置２００Ｂの距離および地震の大きさに基づいて接点信号を送信する接点信号受信装置２００Ｂを決定する。
接点信号送信部１２２Ｂは、受信装置決定部１２１Ｂによって決定された接点信号受信装置２００Ｂに、緊急地震速報（予報）から抽出した地震の大きさ（震度やマグニチュード）を示す接点信号を送信する。
【００２５】
接点信号受信装置２００Ｂは、接点信号受信端末２１０Ｂと、警報装置２２０とを有する。
接点信号受信端末２１０Ｂは、位置情報取得部２１２と、位置情報送信部２１３Ａと、接点信号受信部２１１Ａとを有する。
位置情報取得部２１２は、例えば、ＧＰＳ（Ｇｌｏｂａｌ  Ｐｏｓｉｔｉｏｎｉｎｇ  Ｓｙｓｔｅｍ）受信機を含んでおり、ＧＰＳ衛星から発せられる信号から、現在の位置を示す位置情報を取得する。
位置情報送信部２１３Ａは、位置情報取得部２１２によって取得された位置情報を接点信号送信装置１００Ｂに送信する。
警報装置２２０は、接点信号受信部２１１Ａが地震の大きさ（震度やマグニチュード）を示す接点信号を受信したことに応答して、地震の大きさに応じた警報を発する。
【００２６】
なお、上述した第２の実施形態でも、第１の実施形態と同様に、接点信号送信装置１００Ｂは地震速報受信端末１１０の代わりに地震計を有してもよい。また、接点信号送信装置１００Ｂは、地震速報受信端末１１０や地震計とともに、またはそれらに代えてその他の異常が発生したことを検出する異常検出装置を有してもよい。
また、第２の実施形態でも、第１の実施形態と同様に、接点信号送信装置１００Ｂは、地震速報受信端末１１０と送信サーバ１２０Ｂとを別々のハードウェアとして持つのではなく、地震速報受信端末１１０と送信サーバ１２０Ｂの各機能を１台のコンピュータで実現してもよい。
さらに、第２の実施形態に係る接点信号伝送システムも、第１の実施形態と同様に、地震速報受信端末１１０が遠隔地に設置されており、送信サーバ１２０Ｂが地震速報受信端末１１０からネットワーク３００を経由して地震の発生を通知される構成とすることもできる。
【００２７】
上述した第１の実施形態と第２の実施形態では、ネットワークの込み具合にもよるが、接点信号送信装置から接点信号受信装置まで概ね１秒以内に接点信号を送信することができる。
【００２８】
図５は、本発明の第３の実施形態に係る接点信号伝送システムの構成の一例を示す。
本発明の第３の実施形態に係る接点信号伝送システムは、接点信号送信装置１００Ｃと、サーバ５００Ａと、接点信号受信装置２００Ｃとで構成される。
接点信号送信装置１００Ｃは、ネットワーク３００を経由してサーバ５００Ａに接点信号を送信する。サーバ５００Ａは、ネットワーク３００を経由して接点信号送信装置１００Ｃから受信した接点信号を接点信号受信装置２００Ｃに送信する。このように、第３の実施形態は、サーバ５００Ａが接点信号を中継する点で第１の実施形態と異なる。
第３の実施形態に係る接点信号伝送システムは、第１の実施形態に係る接点信号伝送システムと同様に、ネットワーク３００が複数の基地局４００を有し、接点信号受信装置２００Ｃが基地局４００を介して無線でネットワーク３００に常時接続されている。ただし、第３の実施形態に係る接点信号伝送システムは、第１の実施形態に係る接点信号伝送システムと異なり、サーバ５００Ａが有線または無線でネットワーク３００に常時接続されており、接点信号送信装置１００Ｃが基地局４００を介して無線でネットワーク３００に常時接続されている。
接点信号受信装置１００Ｃと基地局４００との通信にも、例えばＷｉＭＡＸまたはＭｏｂｉｌｅ  ＷｉＭＡＸに準拠する無線を用いることにより、接点信号受信装置２００Ａと基地局４００とを、常時接続で接続することができる。
【００２９】
接点信号送信装置１００Ｃは、地震計１１１と、接点信号送信端末１３０Ａとを有する。
地震計１１１は、気象庁等が高度利用者向けの緊急地震速報（予報）を発表しない程度の小さな地震であっても検出し、接点信号送信端末１３０Ａに通知する。なお、地震計１１１は異常検出部の一例である。
接点信号送信端末１３０Ａは、地震計１１１から地震を検出したことを通知されると、サーバ５００Ａに地震の検出を示す接点信号を送信する。
【００３０】
サーバ５００Ａは、ＣＰＵと、ＲＡＭ等で構成されるメモリと、ハードディスク装置等で構成される記憶装置とを有する。ＣＰＵがメモリに格納されている所定のプログラムを実行することにより、接点信号受信部５０１と、受信装置決定部５０２Ａと、接点信号中継部５０３との各部の機能が実現される。
サーバ５００Ａの記憶装置は、図６に示す送信装置・受信装置対応テーブル１５１Ａを記憶している。送信装置・受信装置対応テーブル１５１Ａには、サーバ５００Ａに接点信号を送信する各接点信号送信装置１００Ｃについて接点信号送信装置ＩＤとＩＰアドレスとが格納されており、更に、各接点信号送信装置１００Ｃから接点信号を受信したとき、接点信号を送信すべき各接点信号受信装置２００Ｃの接点信号受信装置ＩＤとＩＰアドレスとが格納されている。
接点信号受信部５０１は、接点信号送信装置１００Ｃによって送信される接点信号を受信する。
受信装置決定部５０２Ａは、接点信号受信部５０１から各接点信号送信装置１００Ｃによって送信された接点信号を受信したことを通知されると、送信装置・受信装置対応テーブル１５１Ａを参照し、どの接点信号送信装置１００Ｃから接点信号を受信したかに応じて接点信号を送信すべき接点信号受信装置２００Ｃを決定する。なお、受信装置決定部５０２Ａは、各接点信号送信装置１００Ｃから接点信号を受信すると、送信装置・受信装置対応テーブル１５１Ａに接点信号受信装置ＩＤとＩＰアドレスとが格納されている接点信号受信装置２００Ｃのうち、受信した接点信号の送信元である接点信号送信装置１００Ｃの接点信号送信装置ＩＤとＩＰアドレスとに対応する接点信号受信装置２００Ｃにのみ地震の発生を通知すると決定する。
接点信号中継部５０３は、受信装置決定部５０２Ａによって決定された接点信号受信装置２００Ｃに、接点信号受信部５０１によって受信された接点信号を送信する。
【００３１】
接点信号受信装置２００Ｃは、接点信号受信端末２１０Ｃと、警報装置２２０とを有する。
接点信号受信端末２１０Ｃは、中継信号受信部２１１Ｂを有する。中継信号受信部２１１Ｂは、サーバ５００Ａから送信される接点信号を受信する。
警報装置２２０は、中継信号受信部２１１Ｂが接点信号を受信したことに応答して、警報を発する。
【００３２】
なお、上述した第３の実施形態では、接点信号送信装置１００Ｃは地震計１１１を有するとしたが、接点信号送信装置１００Ｃは地震計１１１の代わりに地震速報受信端末を有してもよい。また、接点信号送信装置１００Ｃは、地震計１１１や地震速報受信端末とともに、またはそれらに代えてその他の異常が発生したことを検出する異常検出装置を有してもよい。
また、第３の実施形態に係る接点信号伝送システムは、地震速報受信端末が遠隔地に設置されており、接点信号送信端末１３０Ａが地震速報受信端末からネットワーク３００を経由して地震の発生を通知される構成とすることもできる。
また、上述した第３の実施形態では、接点信号送信端末１３０Ａと接点信号受信端末２１０Ｃに分かれている例を示したが、接点信号送信端末１３０Ａと接点信号受信端末２１０Ｃの機能を併せ持つ接点信号送受信端末を送信側と受信側で用いて接点信号伝送システムを構成することもできる。
【００３３】
図７は、本発明の第４の実施形態に係る接点信号送信装置１００Ｄと、サーバ５００Ｂと、接点信号受信装置２００Ｄとの構成の一例を示す。
第３の実施形態と同様に、接点信号送信装置１００Ｄは、ネットワーク３００を経由してサーバ５００Ｂに接点信号を送信する。サーバ５００Ｂは、ネットワーク３００を経由して接点信号送信装置１００Ｄから受信した接点信号を接点信号受信装置２００Ｄに送信する。
第４の実施形態に係る接点信号伝送システムは、第３の実施形態に係る接点信号伝送システムと同様に、ネットワーク３００が複数の基地局４００を有し、接点信号送信装置１００Ｄが基地局４００を介して無線でネットワーク３００に常時接続されている。また、第４の実施形態に係る接点信号伝送システムは、サーバ５００Ｂが有線または無線でネットワーク３００に常時接続されており、接点信号受信装置２００Ｄが基地局４００を介して無線でネットワーク３００に常時接続されている。
第４の実施形態は、接点信号送信装置１００Ｄと接点信号受信装置２００Ｄが現在の位置を示す位置情報を取得してサーバ５００Ｂに送信し、サーバ５００Ｂが接点信号送信装置１００Ｄと接点信号受信装置２００Ｄとの位置等に応じて接点信号を送信する点が第３の実施形態と異なる。例えば、サーバ５００Ｂは、接点信号送信装置１００Ｄから近い場所に設置されている接点信号受信装置２００Ｄにのみ接点信号を送信し、接点信号送信装置１００Ｄから遠い場所に設置されている接点信号受信装置２００Ｄには接点信号を送信しない。
【００３４】
接点信号送信装置１００Ｄは、地震計１１１と、接点信号送信端末１３０Ｂとを有する。
接点信号送信端末１３０Ｂは、位置情報取得部１３１と、位置情報送信部１３２と、接点信号送信部１３３とを有する。
位置情報取得部１３１は、例えば、ＧＰＳ受信機を含んでおり、ＧＰＳ衛星から発せられる信号から、現在の位置を示す位置情報を取得する。
位置情報送信部１３２は、位置情報取得部１３１によって取得された位置情報をサーバ５００Ｂに送信する。
接点信号送信部１３３は、地震計１１１の検出した地震の大きさ（震度やマグニチュード）を示す接点信号をサーバ５００Ｂに送信する。
【００３５】
サーバ５００Ｂは、サーバ５００Ａと同様に、ＣＰＵと、ＲＡＭ等で構成されるメモリと、ハードディスク装置等で構成される記憶装置とを有する。ＣＰＵがメモリに格納されている所定のプログラムを実行することにより、位置情報受信部５０４と、接点信号受信部５０１と、受信装置決定部５０２Ｂと、接点信号中継部５０３との各機能が実現される。サーバ５００Ｂは、位置情報受信部５０４を有する点がサーバ５００Ａと異なる。また、サーバ５００Ｂは、受信装置決定部５０２Ｂの機能が受信装置決定部５０２Ａと異なる。
サーバ５００Ｂの記憶装置は、図８に示す送信装置・受信装置対応テーブル１５１Ｂを記憶している。送信装置・受信装置対応テーブル１５１Ｂには、サーバ５００Ｂに接点信号を送信する各接点信号送信装置１００Ｄについて接点信号送信装置ＩＤとＩＰアドレスと位置（緯度、経度）とが格納されており、更に、各接点信号送信装置１００Ｄから接点信号を受信したとき、接点信号を送信すべき各接点信号受信装置２００Ｄの接点信号受信装置ＩＤとＩＰアドレスと位置（緯度、経度）とが格納されている。
【００３６】
位置情報受信部５０４は、接点信号送信装置１００Ｄから送信される接点信号送信装置１００Ｄの位置情報を受信し、送信装置・受信装置対応テーブル１５１Ｂの接点信号送信装置１００Ｄの位置（緯度、経度）の欄に格納する。また、位置情報受信部５０４は、接点信号受信装置２００Ｄから送信される接点信号受信装置２００Ｄの位置情報を受信し、送信装置・受信装置対応テーブル１５１Ｂの接点信号受信装置２００Ｄの位置（緯度、経度）の欄に格納する。
受信装置決定部５０２Ｂは、送信装置・受信装置対応テーブル１５１Ｂに格納されている接点信号送信装置１００Ｄおよび接点信号受信装置２００Ｄの位置情報と、接点信号送信装置１００Ｃの接点信号送信部１３３から送信される地震の大きさ（震度やマグニチュード）を示す接点信号とに基づいて、地震の発生を通知する接点信号受信装置２００Ｄを決定する。具体的には、接点信号送信装置１００Ｄの接点信号送信部１３３は、地震計１１１が地震を検出すると、サーバ５００Ｂに地震の大きさ（震度やマグニチュード）を示す接点信号を送信する。これに応答して、サーバ５００Ｂの受信装置決定部５０２Ｂは、送信装置・受信装置対応テーブル１５１Ｂから接点信号を送信した接点信号送信装置１００Ｄの位置（緯度、経度）と、その接点信号送信装置１００Ｄに対応する各接点信号受信装置２００Ｄの位置（緯度、経度）とを読み出し、接点信号送信装置１００Ｄと各接点信号受信装置２００Ｄの距離を求める。そして、受信装置決定部５０２Ｂは、接点信号送信装置１００Ｄと各接点信号受信装置２００Ｄの距離および地震の大きさを考慮して接点信号を送信する各接点信号受信装置２００Ｄを決定する。
【００３７】
接点信号受信装置２００Ｄは、接点信号受信端末２１０Ｄと、警報装置２２０とを有する。
接点信号受信端末２１０Ｄは、位置情報取得部２１２と、位置情報送信部２１３Ｂと、中継信号受信部２１１Ｂとを有する。
位置情報送信部２１３Ｂは、位置情報取得部２１２によって取得された位置情報をサーバ５００Ｂに送信する。
中継信号受信部２１１Ｂは、サーバ５００Ｂから接点信号を受信する。
警報装置２２０は、中継信号受信部２１１Ｂが地震の大きさ（震度やマグニチュード）を示す接点信号を受信したことに応答して、地震の大きさに応じた警報を発する。
【００３８】
なお、上述した第４の実施形態でも、第３の実施形態と同様に、接点信号送信装置１００Ｄは地震計１１１の代わりに地震速報受信端末を有してもよい。また、接点信号送信装置１００Ｄは、地震計１１１や地震速報受信端末とともに、またはそれらに代えてその他の異常が発生したことを検出する異常検出装置を有してもよい。
また、第４の実施形態に係る接点信号伝送システムも、第３の実施形態と同様に、地震速報受信端末が遠隔地に設置されており、接点信号送信端末１３０Ｂが地震速報受信端末からネットワーク３００を経由して地震の発生を通知される構成とすることもできる。
また、第４の実施形態も、第３の実施形態と同様に、接点信号送信端末１３０Ｂと接点信号受信端末２１０Ｄの機能を併せ持つ接点信号送受信端末を送信側と受信側で用いて接点信号伝送システムを構成することもできる。
【００３９】
上述した第３の実施形態と第４の実施形態では、ネットワークの込み具合にもよるが、接点信号送信装置から接点信号受信装置まで概ね２秒以内に接点信号を送信することができる。
【００４０】
上述した実施形態では、異常検出部の一例として地震計と地震速報受信端末を示したが、異常検出部の他の例として土石流を検出する土石流センサーや雪崩を検出する雪崩センサーが考えられる。また、異常検出部の他の例として車の通過を検出する車検出装置が考えられる。例えば道路工事の現場等で、この車検出装置によって検出された車の通過を示す接点信号を送受信し、接点信号受信端末側で車の通過を作業者に知らせたり、赤信号を点灯したりすることができる。
【００４１】
以上説明したように、本発明によれば、発生した接点信号を短時間で確実に遠隔地に伝送することができる。
【００４２】
以上、本発明の実施形態について説明したが、設計上の都合やその他の要因によって必要となる様々な修正や組み合わせは、請求項に記載されている発明や発明の実施形態に記載されている具体例に対応する発明の範囲に含まれるものとする。
【符号の説明】
【００４３】
１００Ａ、１００Ｂ、１００Ｃ、１００Ｄ…接点信号送信装置、１１０…地震速報受信端末、１１１…地震計、１２０Ａ、１２０Ｂ…送信サーバ、１２１Ａ、１２１Ｂ…受信装置決定部、１２２Ａ、１２２Ｂ…接点信号送信部、１２３…位置情報受信部、１３０Ａ、１３０Ｂ…接点信号送信端末、１３１…接点信号送信装置の位置情報取得部、１３２…接点信号送信装置の位置情報送信部、１３３…接点信号送信部、１５０Ａ、１５０Ｂ…接点信号受信装置テーブル、１５１Ａ、１５１Ｂ…送信装置・受信装置対応テーブル、２００Ａ、２００Ｂ、２００Ｃ、２００Ｄ…接点信号受信装置、２１０Ａ、２１０Ｂ、２１０Ｃ、２１０Ｄ…接点信号受信端末、２１１Ａ…接点信号受信部、２１１Ｂ…中継信号受信部、２１２…接点信号受信装置の位置情報取得部、２１３Ａ、２１３Ｂ…接点信号受信装置の位置情報送信部、２２０…警報装置、３００…ネットワーク、４００…基地局、５００Ａ、５００Ｂ…サーバ、５０１…接点信号受信部、５０２Ａ、５０２Ｂ…受信装置決定部、５０３…接点信号中継部、５０４…サーバの位置情報受信部
【図１】
2013232867.tif 000003
【図２】
2013232867.tif 000004
【図３】
2013232867.tif 000005
【図４】
2013232867.tif 000006
【図５】
2013232867.tif 000007
【図６】
2013232867.tif 000008
【図７】
2013232867.tif 000009
【図８】
2013232867.tif 000010